(57)【要約】【課題】外部装置と変換部との間の通信は正常に行えるにも拘らず、機能部との通信ができなくなった場合でも正常動作に復帰できる電子機器を提供する。【解決手段】制御本体１と接続されて電子機器システムを成す電子機器（外部電子機器１００Ａ）は、外部装置の制御本体１から第１の通信規格（ＵＳＢ規格）のＵＳＢケーブル２１０で伝送されるデータを第２の通信規格（ＲＳ‐２３２Ｃ規格）に変換して伝送する変換部２００と、制御線を有する第２の通信規格（ＲＳ‐２３２Ｃ規格）のＲＳ‐２３２Ｃケーブル３１０で伝送されるデータに基づいて予め設定された機能を提供する機能部３００と、ＲＳ‐２３２Ｃケーブル３１０の制御線からの制御信号（リセット信号、電源断信号）に基づいて機能部３００を初期化する手段（リセット端子３０１、電源供給断）と、を備える。ここでの外部電子機器１００Ａは機能部３００を構成する回路にリセット信号線が存在する。【選択図】図１
2017157203.tif 000002
【特許請求の範囲】
【請求項１】
第１の通信規格で伝送されるデータを第２の通信規格に変換して伝送する変換部と、
制御線を有する第２の通信規格で伝送されるデータに基づいて機能を提供する機能部と、
前記制御線から制御信号に基づいて前記機能部を初期化する手段と、を備えたことを特徴とする電子機器。
【請求項２】
請求項１記載の電子機器であって、
前記制御線が前記機能部のリセット端子に接続されたことを特徴とする電子機器。
【請求項３】
請求項１記載の電子機器であって、
前記制御線から前記機能部の電源供給を制御することを特徴とする電子機器。
【請求項４】
請求項３記載の電子機器であって、
前記機能部の電源供給を制御する電源制御部を備え、
前記制御線から前記電源制御部によって前記機能部の電源供給を制御することを特徴とする電子機器。
【請求項５】
請求項１記載の電子機器であって、
前記制御線から所定の信号を検出した場合に前記機能部を初期化する初期化処理部を備えたことを特徴とする電子機器。
【請求項６】
請求項５記載の電子機器であって、
前記初期化処理部は、前記制御線から前記所定の信号を検出した場合に初期化信号を前記機能部のリセット端子に出力することを特徴とする電子機器。
【請求項７】
請求項５記載の電子機器であって、
前記初期化処理部から生成した初期化信号により前記機能部の電源供給を制御することを特徴とする電子機器。
【請求項８】
請求項７記載の電子機器であって、
前記機能部の電源供給を制御する電源制御部を備え、
前記初期化処理部からの前記初期化信号により前記電源制御部によって前記機能部への電源供給を制御することを特徴とする電子機器。
【請求項９】
請求項１〜８の何れか１項記載の電子機器であって、
前記第１の通信規格は、ＵＳＢ規格であることを特徴とする電子機器。
【請求項１０】
請求項１〜９の何れか１項記載の電子機器であって、
前記第２の通信規格は、ＲＳ‐２３２Ｃ規格であることを特徴とする電子機器。
【請求項１１】
請求項１〜１０の何れか１項記載の電子機器であって、
前記制御線は、ＲＳ‐２３２規格のＤＴＲ信号の信号線であることを特徴とする電子機器。
【請求項１２】
請求項１〜１１の何れか１項記載の電子機器と、
前記第１の通信規格で前記変換部に前記データを伝送する制御本体と、を備えたことを特徴とする電子機器システム。
【請求項１３】
第１の通信規格で伝送されるデータを変換部で第２の通信規格に変換して伝送し、
制御線を有する第２の通信規格で伝送されるデータに基づいて機能部において予め設定された機能を提供する際、当該機能部に異常が生じた場合、当該制御線を介して当該機能部を初期化することを特徴とする電子機器のリセット方法。
【請求項１４】
請求項１３記載の電子機器のリセット方法であって、
前記異常が電源異常であることを特徴とする電子機器のリセット方法。
【発明の詳細な説明】
【技術分野】
【０００１】
本発明は、電子機器、電子機器システム、及び電子機器のリセット方法に関する。
【背景技術】
【０００２】
近年、ＵＳＢ（Ｕｎｉｖｅｒｓａｌ  Ｓｅｒｉａｌ  Ｂｕｓ）規格の普及により、パーソナルコンピュータと各種の外部電子機器とを、ＵＳＢインターフェイスを用いて接続するケースが増えている。一方、従来の接続規格、例えば、ＥＩＡ（米国電子工業会）が定めたＲＳ‐２３２Ｃ規格のシリアルインターフェースを用いて接続するように設計された外部電子機器も多数存在している。しかし、パーソナルコンピュータ等の接続端子としては搭載されないことが多くなっている。
【０００３】
パーソナルコンピュータと外部電子機器との間はＵＳＢ規格で通信を行い、機器内部ではＵＳＢ規格で送受信されたデータをＲＳ‐２３２Ｃ規格へと変換して機能を提供するという機器が多数存在している。このようなデバイスでは、外部電子機器が機能を提供する機能部とＵＳＢとＲＳ‐２３２Ｃの変換を行う変換部との合計電力消費が問題となる。
【０００４】
ＵＳＢの接続ケーブルを通じて供給される電源において、一時的な電圧降下を起こしたような場合には、変換部と機能部との何れか一方のみが動作不良に陥ることがある。機能部の異常の場合は、変換部は正常に動作しているため、機能部を初期化状態へと移行させることができれば良い。一般的な変換部に使用される半導体やユニットでは、そのような機能は備えていない。
【０００５】
機能部のみが動作異常状態となった場合は、パーソナルコンピュータから、外部機器を一旦取り外して変換部と機能部との双方への電源供給を停止し、再度接続し直した後、使用を継続する必要がある。
【０００６】
電子機器を対象として、異常時の自動復帰を図る公知技術として、例えばＲＳ−２３２Ｃを有した「プリンタ」（特許文献１参照）が挙げられる。この技術は、ホストと通信を行うＲＳ‐２３２Ｃインターフェイス回路部、制御回路部、印字機構部、及びリセット回路部と、商用電圧からこれらの各部に所定の電源を供給する電源回路部と、を有する。
【発明の概要】
【発明が解決しようとする課題】
【０００７】
特許文献１記載の技術では、ＲＳ‐２３２ＣのＤＳＲ（Data Set Ready）信号またはＣＴＳ（Clear To Send）信号をリセット回路部の制御信号とし、ＤＳＲ信号またはＣＴＳ信号がマーク状態の時にリセット回路部を働かせ、制御回路部をリセットさせるように構成されている。しかし、前述したように個別のユニットにより変換部と機能部とが構成された機器で、ＵＳＢの接続ケーブルを通じて供給される電源の一時的な電圧降下等によって機能部に動作異常が発生した場合には対応することはできない。
【０００８】
本発明は、このような問題点を解決すべくなされたもので、その技術的課題は、外部装置と変換部との間の通信は正常に行えるにも拘らず、機能部との通信ができなくなった場合でも正常動作に復帰できる電子機器、電子機器システム、及び電子機器のリセット方法を提供することにある。
【課題を解決するための手段】
【０００９】
上記技術的課題を解決するため、本発明の一態様は、第１の通信規格で伝送されるデータを第２の通信規格に変換して伝送する変換部と、制御線を有する第２の通信規格で伝送されるデータに基づいて機能を提供する機能部と、制御線から制御信号に基づいて機能部を初期化する初期化手段と、を備えた電子機器であることを特徴とする。
【発明の効果】
【００１０】
本発明によれば、上記構成により、外部装置と変換部との間の通信は正常に行えるにも拘らず、機能部との通信ができなくなった場合でも正常動作に復帰することができる。上記した以外の課題、構成及び効果は、以下の実施の形態の説明により明らかにされる。
【図面の簡単な説明】
【００１１】
【図１】本発明の実施例１に係る外部電子機器を含む電子機器システムの基本構成を示すブロック図である。
【図２】本発明の実施例２に係る外部電子機器を含む電子機器システムの基本構成を示すブロック図である。
【図３】本発明の実施例３に係る外部電子機器を含む電子機器システムの基本構成を示すブロック図である。
【図４】本発明の実施例４に係る外部電子機器を含む電子機器システムの基本構成を示すブロック図である。
【図５】図３に示す電子機器システムが備える外部電子機器又は図４に示す電子機器システムが備える外部電子機器における制御線本来の信号のレベル遷移と初期化処理部による初期化指令の一例として単発の信号のレベル遷移との関係を示す図である。
【図６】図３に示す電子機器システムが備える外部電子機器又は図４に示す電子機器システムが備える外部電子機器における制御線本来の信号のレベル遷移と初期化処理部による初期化指令の一例として多発信号のレベル遷移との関係を示す図である。
【図７】各実施例に係る電子機器システムのハードウェア構成を示す概略ブロック図である。
【発明を実施するための形態】
【００１２】
以下に、本発明の電子機器、電子機器システム、及び電子機器のリセット方法について、幾つかの実施例を挙げ、図面を参照して詳細に説明する。各実施例では、第１の通信手段により第２の通信手段の制御線を機能部の初期化を行う部分に接続し、その制御線を制御することにより、機能部の初期化を可能とするものである。
【実施例１】
【００１３】
図１は、本発明の実施例１に係る外部電子機器１００Ａを含む電子機器システムの基本構成を示すブロック図である。因みに、図１は外部電子機器１００Ａにおける機能部３００を構成する回路にリセット信号線が存在する場合の例である。
【００１４】
図１を参照すれば、この電子機器システムは、外部電子機器１００Ａと制御本体１とが接続されて構成される。外部電子機器１００Ａは、外部装置の制御本体１から第１の通信規格で伝送されるデータを第２の通信規格に変換して伝送する変換部２００と、第２の通信規格で伝送されるデータに基づいて外部電子機器１００Ａ自体の機能を提供する機能部３００と、を備えている。変換部２００は外部、例えば制御本体１と第１の通信規格の第１の通信手段で接続され、機能部３００は変換部２００と第２の通信規格の第２の通信手段で接続されている。実施例１では、制御本体１は例えばパーソナルコンピュータであり、第１の通信規格はＵＳＢ規格であり、第１の通信手段はＵＳＢケーブル２１０である。また、第２の通信規格はＲＳ‐２３２Ｃ規格であり、第２の通信手段はＲＳ‐２３２Ｃケーブル３１０である。
【００１５】
なお、実施例１では、第２の通信規格としてＲＳ‐２３２Ｃを例示して説明するが、ＩＥＥＥ１２８４規格、ＳＣＳＩ規格等、制御線の個別制御が可能なパラレルインタフェースであれば、他の規格を用いた場合でも同様に構成することができる。
【００１６】
変換部２００と機能部３００との間はＲＳ‐２３２Ｃケーブル３１０で接続される。このＲＳ‐２３２Ｃケーブル３１０のうち、１本を制御線３１１として機能部３００のリセット端子３０１に接続する。この際に、制御線３１１を介して伝送される制御信号（リセット信号）の極性とリセット端子の極性とを考慮し、必要なレベル変換、極性反転等を行う必要がある。これらのレベル変換や極性反転の方法に関しては、当業者であれば常識的なものであり、容易に回路を構成することができるので、説明は省略する。なお、実施例１では、制御線３１１はＲＳ‐２３２規格のＤＴＲ（Ｄａｔａ  Ｔｅｒｍｉｎａｌ  Ｒｅａｄｙ）信号の信号線を使用する。
【００１７】
一般的に、リセット信号にはレベル検出とトリガ検出とがある。レベル検出の方がリセット時間の制御は容易である。しかしながら、このリセットに必要な時間は、機能部３００の実装に依存し、さらにレベル検出とトリガ検出との何れの検出であるかも機能部３００の仕様となる。レベル検出であれば、十分な時間リセット状態に置くように制御線３１１からコントロールすれば良い。トリガ検出であれば、リセット時間を外部から制御することは不能となるが、一般的に必要十分な時間のリセット時間をリセット検出の後に確保する実装になっている。
【００１８】
よって、機能部３００が保持しているリセット端子３０１の仕様が、どちらの検出方式であっても、リセットの条件になると問題なくリセット動作が行われる。
【００１９】
この検出の仕様の違いによって変化するのは、制御線３１１から信号を伝送して機能部３００をリセット状態にした後、機能部３００が動作を開始できるタイミングである。即ち、レベル検出の場合は制御線３１１の状態を定常状態に戻してからでなければ、機能部３００が使用できないが、トリガ検出の場合は制御線３１１からコントロールして機能部３００をリセット状態にした一定時間後には機能部３００の動作が可能となる。
【００２０】
なお、制御線３１１から伝送される制御信号は、例えばパーソナルコンピュータ等の制御本体１から第１の通信手段のＵＳＢケーブル２１０を通して変換部２００に対して送信される制御命令を受けた変換部２００より出力される。
【実施例２】
【００２１】
図２は、本発明の実施例２に係る外部電子機器１００Ｂを含む電子機器システムの基本構成を示すブロック図である。この電子機器システムは、外部電子機器１００Ｂと制御本体１とが接続されて構成される。実施例２は、機能部３００を構成する回路に電源制御部５００を設けた外部電子機器１００Ｂの例である。実施例２においては、機能部３００を有する回路にリセット信号線が存在しないか、或いは外部からリセットを行うことができない構成であることが前提である。このような構成の場合でも、通常機能部３００の内部にはリセット回路が存在し、電源の投入時に正常に起動するように構成されている。なお、以下の説明では、図１に示した各部と同一の構成要素には同一の参照符号を付し、重複する説明は省略する。
【００２２】
この構成の場合、変換部２００と機能部３００との間を繋ぐ第２の通信手段のＲＳ‐２３２Ｃケーブル３１０のうち、１本の制御線３１１を、機能部３００を含む領域４００の電源を制御する電源制御部５００に接続する。
【００２３】
電源制御部５００は、領域４００の電源供給を制御しており、電源制御部５００に対して電源を切るように制御線３１１からコントロールした場合、機能部３００を含む領域４００の電源が切断される。通常、制御線３１１を介して領域４００への電源をオフにする指令が送信されている状態の間は、電源制御部５００からの領域４００に対する電源供給は行われない。このため、機能部３００が動作可能なタイミングは、リセット端子を有する機能部３００のリセット検出がレベル検出である場合と同様となる。
【００２４】
ここで、例えばパーソナルコンピュータ等の制御本体１は、第１の通信手段のＵＳＢケーブル２１０を介して外部電子機器１００Ｂと通信を行う。このとき、動作する通信手順は変換部２００との通信となるため、機能部３００に動作異常が発生し、通信不能となっていても、応答がなくなるだけで、ＵＳＢケーブル２１０上での通信は正常に行うことができる。即ち、変換部２００に対して制御本体１から通信を行い、第２の通信手段のＲＳ‐２３２Ｃケーブル３１０の制御線３１１の状態変更を行うことができる。
【００２５】
制御本体１は、機能部３００からの応答がなくなるか、或いは応答はあるが予期しない応答が返ってくるような状態になった場合に、機能部３００に異常が生じたと判断する。そして、制御本体１は、変換部２００に対して制御線３１１からコントロールし、電源制御部５００の電源を切断し、機能部３００に電源供給が行われないことにより、前述のようにして初期化され、所定の時間（リセット時間）が経過すると機能部３００の動作が可能となる。
【００２６】
なお、ここまで変換部２００と機能部３００の間はＲＳ‐２３２Ｃケーブル３１０と記載している部分は、実際のケーブルではなく、基板上で変換部２００と機能部３００を接続する結線であっても同様に構成可能であることはいうまでもない。
【実施例３】
【００２７】
図３は、本発明の実施例３に係る外部電子機器１００Ｃを含む電子機器システムの基本構成を示すブロック図である。この電子機器システムは、外部電子機器１００Ｃと制御本体１とが接続されて構成される。実施例３においては、機能部３００を構成する回路にリセット端子３０１に接続されるリセット信号線３１２が存在するが、制御信号も含む全ての信号を使用して第２の通信手段のＲＳ‐２３２Ｃケーブル３１０で通信が行われる構成であることが前提である。なお、以下の説明では、図１に示した各部と同一の構成要素には同一の参照符号を付し、重複する説明は省略する。
【００２８】
因みに、実施例３においても、第２の通信規格としてＲＳ‐２３２Ｃを例示して説明するが、ＩＥＥＥ１２８４規格、ＳＣＳＩ規格等、制御線の個別制御が可能なパラレルインタフェースであれば、他の規格を用いた場合でも同様に構成することができる。
【００２９】
図１に示す実施例１に係る外部電子機器１００Ａでは、制御線がリセット信号として使用可能である例を挙げたが、機能部３００の制御のために第２の通信手段のＲＳ‐２３２Ｃケーブル３１０で通信を行う場合に、制御線も使われている場合がある。このような場合は、図３の実施例３に係る外部電子機器１００Ｃに示されるように通信のための制御線から所定の信号を検出した場合に機能部３００を初期化する初期化処理部６００を備えて活用すれば良い。また、ＲＳ‐２３２Ｃケーブル３１０の制御線に含まれる信号伝送線３１３が初期化処理部６００に接続されている。さらに、初期化処理部６００と機能部３００との間は信号伝送線３１４で接続されている。この他、機能部３００のリセット端子３０１と初期化処理部６００とはリセット信号線３１２で接続されている。
【００３０】
一般的に、第２の通信手段のＲＳ‐２３２Ｃケーブル３１０での制御線の信号のレベル遷移は、データ等の信号のレベル遷移に比べて時間的に長くなっている。例えばＤＴＲ信号であれば、データを送信する以前にＤＴＲ信号をアサートし（アクティブ状態にし）、データ送信が済んで機能利用が終わった場合にＤＴＲ信号がデアサートされる（非アクティブ状態にされる）。このように、制御線の信号のレベル遷移は、長時間に及んで一定のレベルを維持するようになっている。
【００３１】
そこで、初期化処理部６００では、制御線における信号のレベル遷移を信号伝送線３１３を通して監視し、一定時間以上のアサート・デアサートを検出すると、ＤＴＲ信号本来のレベル遷移であると認識する。そして、信号伝送線３１４を通して機能部３００のＤＴＲ信号入力端子に対してＤＴＲ信号本来の信号を送出する。
【００３２】
これに対し、制御線の本来の信号のレベル遷移に対して短時間で遷移を行うように、制御本体１から第１の通信手段のＵＳＢケーブル２１０を通して変換部２００に対して指令が行われたとする。こうした場合、初期化処理部６００は、信号伝送線３１３を通して短時間でのレベル遷移を検出するため、初期化指令を受信したものと判断する。そして、リセット信号線３１２を通して機能部３００のリセット端子３０１に対して初期化信号を出力する。この結果、機能部３００は初期化されることになる。
【実施例４】
【００３３】
図４は、本発明の実施例４に係る外部電子機器１００Ｄを含む電子機器システムの基本構成を示すブロック図である。この電子機器システムは、外部電子機器１００Ｄと制御本体１とが接続されて構成される。実施例４においては、機能部３００を構成する回路にリセット端子３０１が無く、リセット信号線が存在せず、しかも制御信号も含む全ての信号を使用して第２の通信手段のＲＳ‐２３２Ｃケーブル３１０で通信が行われる構成であることが前提である。なお、以下の説明では、図１に示した各部と同一の構成要素には同一の参照符号を付し、重複する説明は省略する。
【００３４】
図２に示す外部電子機器１００Ｂでは、制御線が初期化信号として使用可能である例を挙げたが、機能部３００の制御のために第２の通信手段のＲＳ‐２３２Ｃケーブル３１０で通信を行う場合に、制御線も使われている場合がある。このような場合は、図４の実施例４に係る外部電子機器１００Ｄに示されるように通信のための制御線から所定の信号を検出した場合に機能部３００を初期化する初期化処理部６００を備えれば良い。この外部電子機器１００Ｄの場合、初期化処理部６００と機能部３００の電源供給を制御する電源制御部５００との間が電源制御線３１５により接続されている。そこで、初期化処理部６００から送出した初期化信号によって電源制御線３１５を通して機能部３００の電源供給を制御し、その電源のオン・オフを制御する。それ以外の初期化処理部６００の動作は、図３に示す外部電子機器１００Ｃの場合と同様である。
【００３５】
図５は、図３に示す外部電子機器１００Ｃ又は図４に示す外部電子機器１００Ｄにおける制御線本来の信号ａのレベル遷移と初期化処理部６００による初期化指令の一例として単発の信号ｂのレベル遷移との関係を示す図である。
【００３６】
図５を参照すれば、ここでは初期化処理部６００によって、機能部３００から信号伝送線３１４を通して送出される信号を判断する。上段の信号ａに示されるように、レベル遷移が一定時間以上のアサートであれば、制御線本来の信号であると判断する。これに対し、下段の信号ｂに示されるように、短時間でのレベル遷移を検出した場合には初期化指令を受信したものと判断する。初期化指令の信号ｂの波形は単発の矩形波でなくて多発の矩形波としても良い他、どのような波形としても構わない。そして、リセット信号線３１２を通して機能部３００のリセット端子３０１又は電源制御線３１５を通して電源制御部５００に対して例えば単発の矩形波の初期化指令の信号ｂを出力する。この結果、機能部３００が初期化されることになるか、或いは電源制御部５００が電源供給されて機能部３００への電源供給の制御が行われることで機能部３００に対しての電源供給を停止している時間を制御することが可能になる。単発の矩形波による初期化指令の信号ｂの送出時間は初期化処理部６００で設定される。
【００３７】
図６は、図３に示す外部電子機器１００Ｃ又は図４に示す外部電子機器１００Ｄにおける制御線本来の信号ｃのレベル遷移と初期化処理部６００による初期化指令の一例として多発信号ｄのレベル遷移との関係を示す図である。
【００３８】
図６を参照すれば、ここでは上述した制御線の本来の信号ｃのレベル遷移に対して短時間で遷移を行うように、制御本体１から第１の通信手段のＵＳＢケーブル２１０を通して変換部２００に対して指令が行われた場合に該当する。ここでの初期化処理部６００は、信号伝送線３１３を通して短時間でのレベル遷移を検出するため、下段の信号ｄに示されるように、短時間でのレベル遷移を繰り返し検出した場合には初期化指令を受信したものと判断する。初期化指令の信号ｄの波形は、どのような波形としても構わない。そして、リセット信号線３１２を通して機能部３００のリセット端子３０１又は電源制御線３１５を通して電源制御部５００に対して例えば多発の矩形波の初期化指令の信号ｄを出力する。この結果、機能部３００が初期化されることになるか、或いは電源制御部５００が電源供給されて機能部３００への電源供給の制御が行われることで機能部３００に対しての電源供給を停止している時間を制御することが可能になる。ここでの初期化処理部６００は、制御線の本来の信号ｃのレベル遷移が続いている間、多発の矩形波による初期化指令の信号ｄを断続的に送出できるように構成される。
【００３９】
第１の通信手段のＵＳＢケーブル２１０を通してＲＳ‐２３２Ｃケーブル３１０及び制御線の制御を行う側の制御本体１が初期化信号の送出時間を指令制御することが可能となっている。ここで、例えばパーソナルコンピュータ等の制御本体１は、第１の通信手段のＵＳＢケーブル２１０で通信を行うが、このときに動作する通信手順は変換部２００との通信となる。このため、機能部３００に動作異常が起こって通信不能となっていても、応答がなくなるだけで、第１の通信手段のＲＳ‐２３２Ｃケーブル３１０上での通信は正常に行うことができる。即ち、変換部２００に対して制御本体１から通信を行い、第２の通信手段のＲＳ‐２３２Ｃケーブル３１０の制御線の状態を変更することが可能である。制御本体１は、機能部３００からの応答が無くなるか、或いは応答があっても予期しない応答が返ってくるような状態（例えば異常状態）になった場合、変換部２００に対して初期化を行うために制御線を制御することになる。
【００４０】
図７は、上述した各実施例に係る電子機器システムのハードウェア構成を示す概略ブロック図である。図７を参照すれば、ハードウェア構成上での制御本体１は、ＣＰＵ１１、メモリ１２、インターフェース（Ｉ／Ｆ）１３が共通制御バス１４を介して接続される。この上、共通制御バス１４に接続されるように操作部１５及び表示部１６が具備されてパーソナルコンピュータ仕様やサーバ仕様として構成される。ＣＰＵ１１は、操作部１５の操作指示に応じてメモリ１２への記憶処理や表示部１６への表示処理を制御する。メモリ１２はＣＰＵ１１の制御を受けて情報処理された各種情報を記憶したり、或いは格納するために用いられる。インターフェース１３は各実施例で説明した外部電子機器１００Ａ、１００Ｂ、１００Ｃ、１００Ｄやその他の外部機器を接続するために具備される。
【００４１】
ここでのメモリ１２としては、処理プログラム格納用のＲＯＭ、アプリケーションプログラムのソフトウェアや処理情報記憶用のＲＡＭ、大容量情報格納用のＨＤＤ等を例示できる。但し、制御本体１が携帯端末タイプであれば、ＨＤＤではなくてフラッシュメモリ等が用いられる他、操作部１５が表示部１６の表示画面内でタッチパネル式としてガイド表示される構成であっても良い。何れにしても、制御本体１はハードウェア構成上で技術的特徴を持たないが、そのインターフェース１３に接続される各実施例で説明した外部電子機器１００Ａ、１００Ｂ、１００Ｃ、１００Ｄに対して制御指令を与える役割を担う。
【００４２】
以上のように、各実施例の形態によれば、次のような効果を奏する。なお、以下の説明では、特許請求の範囲における各構成要素と各実施例の各部について対応を取り、両者の用語が異なる場合には後者を括弧（）書きで示し、両者の対応関係を明確にした。
【００４３】
（１）実施例１に係る電子機器（外部電子機器１００Ａ）によれば、第１の通信規格（ＵＳＢ規格）で伝送されるデータを第２の通信規格（ＲＳ‐２３２Ｃ規格）に変換して伝送する変換部２００を備える。また、制御線を有する第２の通信規格（ＲＳ‐２３２Ｃ規格）のＲＳ‐２３２Ｃケーブル３１０で伝送されるデータに基づいて予め設定された機能を提供する機能部３００を備える。さらに、制御線からの制御信号（リセット信号、電源断信号）に基づいて機能部３００を初期化する手段（リセット端子、電源供給断）を備える。こうした構成で、制御線３１１の先に接続する機能部３００の初期化動作の起動が可能となり、結果として機能部３００の初期化を行うことができる。
【００４４】
これにより、外部装置と変換部２００との間の通信は正常に行えるにも拘らず、機能部３００との通信ができなくなった場合でも、正常動作に復帰することができる。そのため、実施例１では、ユーザが障害の原因を認識した上でＵＳＢケーブル２１０を抜き差しするという手順を踏むことなく、機能部３００の動作異常を検出し、初期化を行い、正常動作状態へと復帰させることができる。
【００４５】
（２）上記（１）の実施例１に係る電子機器（外部電子機器１００Ｂ）であって、ＲＳ‐２３２Ｃケーブル３１０の制御線が機能部３００のリセット端子３０１に接続されているので、機能部３００がリセット機能を有する場合に、機能部３００をリセット端子３０１から入力されるリセット信号により初期化することができる。
【００４６】
（３）上記（１）の実施例２に係る電子機器（外部電子機器１００Ｂ）であって、ＲＳ‐２３２Ｃケーブル３１０の制御線３１１から機能部３００の電源供給を制御するので、機能部３００がリセット機能を備えていない場合においても、機能部３００に対して電源供給を断つことにより機能部３００を初期化することができる。
【００４７】
（４）上記（３）の実施例２に係る電子機器（外部電子機器１００Ｂ）であって、機能部３００の電源供給を制御する電源制御部５００を備え、制御線３１１から電源制御部５００によって機能部３００の電源供給を制御し、電源制御部５００を介して機能部３００への電源供給を断つ。これにより機能部３００を初期化することができる。
【００４８】
（５）上記（１）の実施例３に係る電子機器（外部電子機器１００Ｃ）であって、機能部３００がリセット機能を備え、ＲＳ‐２３２Ｃケーブル３１０の制御線のもう一つの信号伝送線３１３から所定の信号を検出した場合に機能部３００を初期化する初期化処理部６００を備える。初期化処理部６００は、制御線が使われていても制御線本来の信号のレベル遷移と初期化指令とを判別し、信号伝送線３１４から機能部３００へＤＲＴ信号を送出する他、リセット信号線３１２を用いて機能部３００を初期化することができる。
【００４９】
（６）上記（５）の実施例３に係る電子機器（外部電子機器１００Ｃ）であって、初期化処理部６００は、ＲＳ‐２３２Ｃケーブル３１０の制御線から所定の信号を検出した場合に初期化信号をリセット信号線３１２から機能部３００のリセット端子３０１に出力する。これにより、機能部３００を初期化することができる。
【００５０】
（７）上記（５）の実施例４に係る電子機器（外部電子機器１００Ｄ）であって、初期化処理部６００から生成した初期化信号により機能部３００の電源供給を制御する。このため、機能部３００がリセット機能を備えていない場合においても、機能部３００に対して電源供給を断つことにより機能部３００を初期化することができる。
【００５１】
（８）上記（７）の実施例４に係る電子機器（外部電子機器１００Ｄ）であって、機能部３００の電源供給を制御する電源制御部５００を備える。初期化処理部６００からの初期化信号により電源制御線３１５を通して電源制御部５００によって機能部３００の電源供給を制御し、電源制御部５００を介して機能部３００への電源供給を断つ。これにより機能部３００を初期化することができる。
【００５２】
（９）上記（１）〜（８）の何れか１つに係る電子機器（外部電子機器１００Ａ、１００Ｂ、１００Ｃ、１００Ｄ）であって、第１の通信規格がＵＳＢ規格なので、標準的に搭載されている規格を採用することにより広範囲の適用が期待できる。
【００５３】
（１０）上記（１）〜（９）の何れか１つに係る電子機器（外部電子機器１００Ａ、１００Ｂ、１００Ｃ、１００Ｄ）であって、第２の通信規格がＲＳ‐２３２Ｃ規格なので、過去標準的に搭載されていた規格を採用することにより広範囲の適用が規定できる。
【００５４】
（１１）上記（１）〜（１０）の何れか１つに係る電子機器（外部電子機器１００Ａ、１００Ｂ、１００Ｃ、１００Ｄ）であって、制御線がＲＳ‐２３２規格のＤＴＲ信号の信号線なので、市場に存在している数多くの変換部２００のチップを用いることができる。
【００５５】
（１２）上記（１）〜（１１）何れか１つに係る電子機器（外部電子機器１００Ａ、１００Ｂ、１００Ｃ、１００Ｄ）と、第１の通信規格で変換部２００にデータを伝送する制御本体（パーソナルコンピュータ）１と、を備えて電子機器システムを構成している。このため、上記（１）〜（１１）に述べた効果を奏する電子機器システムを提供することができる。
【００５６】
（１３）電子機器のリセット方法として、第１の通信規格（ＵＳＢ規格）で伝送されるデータを変換部で第２の通信規格（ＲＳ‐２３２Ｃ規格）に変換して伝送している。また、制御線を有する第２の通信規格（ＲＳ‐２３２Ｃ規格）で伝送されるデータに基づいて機能部３００において予め設定された機能を提供することを前提とする。この前提に際して、機能部３００に異常が生じた場合、制御線を介して機能部３００を初期化するので、上記（１）で述べた効果と同様の効果を奏することができる。
【００５７】
（１４）上記（１３）に係る電子機器のリセット方法において、異常が電源異常であるので、電源異常からリセットして自動的に復帰することができる。
【符号の説明】
【００５８】
１  制御本体（パーソナルコンピュータ）
１１  ＣＰＵ
１２  メモリ
１３  インターフェース（Ｉ／Ｆ）
１４  共通制御バス
１５  操作部
１６  表示部
１００Ａ、１００Ｂ、１００Ｃ、１００Ｄ  外部電子機器（電子機器）
２００  変換部
２１０  ＵＳＢケーブル
３００  機能部
３０１  リセット端子
３１０  ＲＳ‐２３２Ｃケーブル
３１１  制御線（ＤＴＲ信号の信号線）
３１２  リセット信号線
３１３、３１４  信号伝送線
３１５  電源制御線
４００  領域
５００  電源制御部
６００  初期化処理部
【先行技術文献】
【特許文献】
【００５９】
【特許文献１】特開平６−３４８４２５号公報
【図１】
2017157203.tif 000003
【図２】
2017157203.tif 000004
【図３】
2017157203.tif 000005
【図４】
2017157203.tif 000006
【図５】
2017157203.tif 000007
【図６】
2017157203.tif 000008
【図７】
2017157203.tif 000009